(57)【特許請求の範囲】
【請求項１】
ＰＯＳ端末で注文を受けた宅配商品の売り上げ計上するシ
ステムにおいて、
宅配商品の宅配注文データ及び宅配済み伝票データ並びに一般商品売り上げデータを入力する店舗内のＰＯＳ端末と、
ＰＯＳ端末の入力データを一時ファイルして、ホストコンピュータに送付するストアコンピュータと、
各店舗からのデータをマスタファイルに一括ファイルするホストコンピュータと、
を備え、
前記ストアコンピュータは、
宅配商品の宅配注文データを一時ファイルする宅配注文ファイルと、
前記ホストコンピュータから送付された店舗毎の宅配注文データの宅配注文店舗分ファイルと、
宅配済み伝票データで前記宅配注文店舗分ファイルを処理して、宅配商品の売上金額をファイルする宅配売り上げファイルと、
一般商品の売り上げデータをファイルする一般売り上げファイルと、
前記宅配売り上げファイルと、一般売り上げファイルと、を集計する店舗売り上げファイルと、
を有し、
前記ホストコンピュータは、
各店舗からの宅配注文データを一括ファイルする宅配注文マスタファイルを有し、
各店舗の宅配商品の売り上げ計上を宅配日翌日に会計処理することを特徴とする宅配商品の売り上げ計上システム。
【発明の詳細な説明】
【０００１】
【発明の属する技術分野】
この発明は、宅配商品の売り上げ計上の仕方に関し、特に、商品の宅配日が不確定なため、売り上げ計上する会計処理日が確定できない宅配商品の売り上げ計上システムに関する。
【０００２】
【従来の技術】
注文商品を宅配サービスにすると、宅配日指定が、「何日前後」という具合に決められる。それは、宅配業者の都合や顧客の不在等の理由で、宅配日を予め予定はできるが確定することが難しいためである。そのため、該当の宅配商品を売った店舗が該商品を売り上げ計上する会計処理日をいつにするかが問題になる。それは、宅配サービスが決まっている場合、顧客が宅配商品を受け取る前に売り上げが発生してはいけないという会計処理上の制約があるため、不確定な宅配日で売り上げ計上するわけにいかないからである。そこで、この制約に引っ掛からないように、宅配日を確定させない、「何日前後」という宅配日の決め方が従来からとられてきた。
【０００３】
店舗が会計単位になる業務処理で、当日に会計処理できないケースがまま生じている。当日締めに入れられない営業時間外の未起票伝票データを一括処理する例に、特開平５−２７４３２３号公報がある。該公報では、営業時間外一括処理データを未起票伝票データとして、未起票伝票ファイルに格納しておき、翌日に一括処理指示によって、未起票伝票データで仕訳明細ファイル及び元帳を更新する。更に、特開平８−３３５２４０号公報によれば、当日の締めに間に合わない入金データを締め日翌日に入金処理する発明が説明されている。該公報では、締め日翌日の入金処理を一時実行不可にして、前日の入金に対する得意先掛け売りファイルなどのを定時処理で更新する。
【０００４】
上記の例のように、当日の売り上げを当日に締める会計処理原則に抵触する場合を通常処理でなく、一括処理や定時処理でマスタファイルに反映させることが行われてきた。
【０００５】
【発明が解決しようとする課題】
そこで、宅配商品の会計処理日を「何日前後」でなく、特定の「何日」という指定を可能にするには宅配日翌日に売り上げ計上する方法をとれば、会計処理原則に抵触しないで、売り上げ計上日を確定できる。
【０００６】
この発明の目的は、宅配商品の売り上げ計上を宅配済み伝票が入力できる宅配日翌日に、該当店舗のＰＯＳで行うシステムにある。
【０００７】
【課題を解決するための手段】
そのため、この発明の、ＰＯＳ端末で注文を受けた宅配商品の売り上げを計上する会計処理の方法において、前記宅配商品を宅配日翌日に売り上げ計上して会計処理することを特徴とする。
【０００８】
更に、前記宅配商品の売り上げ計上方法は、ホストコンピュータが備える宅配注文データファイルから抽出された当該店舗の宅配注文データに対して、宅配翌日に集められた宅配済み伝票と照合して売り上げ計上されることを特徴とする。
【０００９】
更に、前記宅配注文データは、ＰＯＳ端末で入力される宅配商品の注文データと、それの宅配指定を含むことを特徴とする。
【００１０】
更に、前記宅配注文デ−タファイルは、ＰＯＳ端末から入力された宅配商品の宅配注文データと、宅配指定と、をストアコンピュータで収集し、各ストアコンピュータからホストコンピュータに転送して、前記ホストコンピュータのマスタファイルに格納されることを特徴とする。
【００１１】
更に、前記宅配日翌日は、宅配業者が顧客先に前記商品を宅配して得た宅配済み伝票を該当店舗のＰＯＳ端末に入力できる日であることを特徴とする。
【００１２】
更に、ＰＯＳ端末で注文を受けた宅配商品の売り上げ計上するシステムにおいて、宅配商品の宅配注文データ及び宅配済み伝票データ並びに一般商品売り上げデータを入力する店舗内のＰＯＳ端末と、ＰＯＳ端末の入力データを一時ファイルして、ホストコンピュータに送付するストアコンピュータと、各店舗からのデータをマスタファイルに一括ファイルするホストコンピュータと、を備え、前記ストアコンピュータは、宅配商品の宅配注文データを一時ファイルする宅配注文ファイルと、前記ホストコンピュータから送付された店舗毎の宅配注文データの宅配注文店舗分ファイルと、宅配済み伝票データで前記宅配注文店舗分ファイルを処理して、宅配商品の売上金額をファイルする宅配売り上げファイルと、一般商品の売り上げデータをファイルする一般売り上げファイルと、前記宅配売り上げファイルと、一般売り上げファイルと、を集計する店舗売り上げファイルと、を有し、前記ホストコンピュータは、各店舗からの宅配注文データを一括ファイルする宅配注文マスタファイルを有し、各店舗の宅配商品の売り上げ計上を宅配日翌日に会計処理することを特徴とする。
【００１３】
【発明の実施の形態】
この発明の実施の形態を図面を参照して説明する。この宅配商品の売り上げ計上システムを示す図２を参照すると、宅配商品の売り上げ計上システム１０は、店舗内に設置されるＰＯＳ端末２１乃至ＰＯＳ端末２ｎと、ＰＯＳ端末２１乃至２ｎの入力データを集信するストアコンピュータ３０と、ストアコンピュータ３０が備えるファイル装置３１と、ストアコンピュータ３０に対するホストコンピュータ４０と、ホストコンピュータ４０が備えるファイル装置４１と、を含む。
【００１４】
ファイル装置３１には、店舗内の宅配注文データを一時ファイルする宅配注文ファイル３１１と、ホストコンピュータから送られた該当店舗で会計処理する宅配注文データをファイルする宅配注文店舗分ファイル３１２と、宅配商品の売り上げ計上した宅配売り上げファイル３１３と、宅配商品売り上げ及び一般商品売り上げを集計する店舗売り上げファイル３１５と、を備える。
【００１５】
ファイル装置４１には、各店舗から集められた宅配注文データを一括ファイルするの宅配注文マスタファイル４１１を備える。
【００１６】
この宅配商品売り上げ計上システム１０が実行する方法の手順を示す図１（ａ）、図１（ｂ）、図１（ｃ）を参照して、この手順を説明する。図１（ａ）で、宅配商品の注文を受けると、店舗のＰＯＳ２１に宅配注文データを入力し、ストアコンピュータ３０が備えるファイル装置３１の宅配注文ファイル３１１に一時ファイルされる（ステップ５１）。宅配注文ファイル３１１は、ホストコンピュータ４０に転送され、宅配注文マスタファイル４１１にファイルされる。
【００１７】
図１（ｂ）を参照すると、ホストコンピュータ４０は、宅配注文マスタファイル４１１から該当店舗宛の宅配注文データを抽出し（ステップ５４）、ストアコンピュータ３０の宅配注文店舗分ファイル３１２に送付する（ステップ５５）。
【００１８】
図１（ｃ）を参照すると、店舗内のＰＯＳ２１から宅配業者から集められた宅配済み伝票を入力する（ステップ５６）。該伝票と宅配注文店舗分ファイル３１２の宅配注文データとを照合して、宅配売上金額データを作成し、宅配売り上げファイル３１３にファイルする（ステップ５７）。一方。店舗内のＰＯＳ２２は、一般商品の売り上げデータを入力し（ステップ５８）、ストアコンピュータ３０の一般売り上げデータファイル３１４にファイルする（ステップ５９）。ストアコンピュータ３０は、宅配売り上げファイル３１３と一般商品データファイル３１４とをあわせて売り上げ計上し、店舗売り上げファイル３１５にファイルする（ステップ６０）。店舗売り上げファイル３１５には、宅配商品が宅配日翌日の売り上げ計上で一般商品と一緒に集計され、会計原則に抵触せずに売り上げ計上できる。
【００１９】
【発明の効果】
この発明の第１の効果は、売り上げ計上の日が宅配日翌日に確定することにより、会計処理原則にしたがって、宅配商品の売り上げ計上ができることである。
【図面の簡単な説明】
【図１】実施の形態を実行する手順を示し、例分図（ａ）は宅配注文を受けた日、分図（ｂ）は、宅配日、分図（ｃ）は、宅配日翌日、の処理手順をそれぞれ示す。
【図２】図１の方法を実行するシステムを示す図である。
【符号の説明】
１０    宅配商品売り上げ計上システム
２１乃至２ｎ    ＰＯＳ端末
３０    ストアコンピュータ
３１    ファイル装置
４０    ホストコンピュータ
４１    ファイル装置
３１１    宅配注文ファイル
３１２    宅配注文店舗分ファイル
３１３    宅配売り上げファイル
３１４    一般売り上げデータファイル
３１５    店舗売り上げファイル
４１１    宅配注文マスタファイル
【図１】
0003735568.tif 000002
【図２】
0003735568.tif 000003